(57)【要約】【課題】カップを適正に保持し、格納性に優れたカップホルダを提供する。【解決手段】取付部材１１により支持横架されるようにしたスライドベース１２と、スライドベース１２に折畳み式に格納可能に構成されたホルダ本体１３とを備え、ホルダ本体１３は使用、不使用に応じてスライドベース１２に対して展開、格納される。ホルダ本体１３の上下部材２１，２２がリンク部材２３を介して相互に連結され、上下部材を相対的に回動することにより、ホルダ本体１３がスライドベース１２に対して伸縮する。複数種類のカップ形状に対応し得るようにホルダ本体１３の底部に段部２４を設ける。ホルダ本体１３をスライドベース１２に閉合保持するロック機構を有する。【選択図】　　　　図１
2004074904.tif 000002
【特許請求の範囲】
【請求項１】
取付部材により支持横架されるようにしたスライドベースと該スライドベースに折畳み式に格納可能に構成されたホルダ本体とを備え、このホルダ本体を、使用、不使用に応じて上記スライドベースに対して展開、格納するようにしたカップホルダにおいて、
上下部材を、リンク部材を介して上記ホルダ本体と相互に連結し、
上記上下部材を相対的に回動することにより、上記ホルダ本体が上記スライドベースに対して伸縮するようにしたことを特徴とする、カップホルダ。
【請求項２】
複数種類のカップ形状に対応し得るように前記ホルダ本体の底部に段部を設けたことを特徴とする、請求項１に記載のカップホルダ。
【請求項３】
前記ホルダ本体を前記スライドベースに閉合保持するロック機構が備えられていることを特徴とする、請求項１または２に記載のカップホルダ。
【発明の詳細な説明】
【０００１】
【発明の属する技術分野】
本発明は、乗用車等の車両においてドア等の適所に取り付けられるカップホルダに関するものである。
【０００２】
【従来の技術】
一般に、車両には、缶コーヒー等の各種飲料物容器（以下、カップという）を車内で保持しておくためにカップホルダが装備または使用される。従来、たとえば図７に示すように運転席横のコンソール１にカップホルダ１００が設けられ、あるいは図８のように、サイドドア２等の室内側においてドアトリム２ａにカップホルダ１００′を架けたりして用いている。
【０００３】
【発明が解決しようとする課題】
しかしながら、従来のカップホルダは車両に固定式のものが多く、その場合、自動車が急停止や急発進さらにはローリングすると、カップから飲料物がこぼれてしまうことがあった。また、カップを保持するために一定の大きさ（嵩）を持つため、設置スペースの確保が余儀なくされる。
【０００４】
本発明は以上の点に鑑み、カップを適正に保持し、格納性に優れたカップホルダを提供することを目的とする。
【０００５】
【課題を解決するための手段】
上記目的を達成するため、本発明は、取付部材により支持横架されるようにしたスライドベースと、このスライドベースに折畳み式に格納可能に構成されたホルダ本体とを備え、このホルダ本体を、使用、不使用に応じて上記スライドベースに対して展開、格納するようにしたカップホルダにおいて、上下部材を、リンク部材を介してホルダ本体と相互に連結し、この上下部材を相対的に回動することにより、ホルダ本体がスライドベースに対して伸縮するようにしたことを特徴としている。
【０００６】
また、本発明のカップホルダには、好ましくは、複数種類のカップ形状に対応し得るようにホルダ本体の底部に段部が設けられる。
【０００７】
さらに、本発明のカップホルダにおいて、好ましくは、前記ホルダ本体を前記スライドベースに閉合保持するロック機構を有する。
【０００８】
本発明によれば、ホルダ本体は、ドアトリム等に支持横架されたスライドベースに折畳み式に格納可能に構成され、使用、不使用に応じてスライドベースに対して展開、格納される。使用時にはスライドベースからホルダ本体を伸長させることでカップを保持するための十分な長さになり、カップを安定して保持することができる。不使用時にはスライドベースに格納され、コンパクト化を図ることができる。
【０００９】
【発明の実施の形態】
以下、図面に基き、従来例と実質的に同一または対応する部材には同一符号を用いて、本発明によるカップホルダの好適な実施の形態を説明する。
図１は、本発明のカップホルダの構成例を示している。カップホルダ１０は、取付部材１１により支持横架されるようにしたスライドベース１２と、スライドベース１２に折畳み式に格納可能に構成されたホルダ本体１３とを備えている。なお、この実施の形態では、図３に示すように、サイドドア２のドアトリム２ａに取り付けるものとする。
【００１０】
取付部材１１はドアトリム２ａの上端部を挟持して取り付けるようになっており、両端部１１ａの間にスライドベース１２が装着される。図２に示されるように、各端部１１ａの内側には、スライドベース１２のスライド溝１４と係合するピン１５と、このピン１５と協働してスライドベース１２を横架支持するための支持部１６が突設されている。
【００１１】
スライドベース１２の略中央部に開設された開口部１７には、ホルダ本体１３を支持するためのジョイントリング１８が挿着される。開口部１７の内周面には差込溝１９が形成され、ジョイントリング１８の外周面に突設された支軸２０が差込溝１９に係合するようになっている。
【００１２】
ホルダ本体１３は図４および図５にも示されるように、上下の環状部材２１，２２と、環状部材２１，２２を相互に連結するリンク部材２３と、環状部材２２に内挿する底部材２４と、底部材２４に付設されたリッド２５とを含んでいる。この場合、上側の環状部材２１の外周面に突設された支軸２６が、ジョイントリング１８の取付穴２７に嵌入する。また、上下の環状部材２１，２２を相対的に回動することにより、ホルダ本体１３がスライドベース１２に対して伸縮するようになっている。さらに、複数種類のカップ形状に対応し得るようにホルダ本体１３の底部材２４に段部２４ａが設けられる。
【００１３】
また、図６（ａ）に示されるように、リッド２５の外周部にはロック片２８が突設されるとともに、スライドベース１２にはロック片２８が係合するようにしたロック溝２９が形成される。なお、スライドベース１２には取手３０が設けられている。
【００１４】
上記構成においてカップホルダ１０を使用する場合、図６（ａ）においてリッド２５を矢印のように反時計方向へ回動して、ロック片２８およびロック溝２９の係合によるロックを解除する。そして、スライドベース１２を引き上げる。つぎに、図６（ｂ）においてスライドベース１２を手前側に倒し、ホルダ本体１３を反時計方向へ回動することでスライドベース１２から展開して伸長する。
【００１５】
これによりカップホルダ１０がドアトリム２ａの所定部位にセットされ（図３参照）、ホルダ本体１３内にカップを収容することができる。この場合、スライドベース１２から展開伸長したホルダ本体１３は、カップを保持するための十分な長さを有し、カップを安定して保持することができる。したがって、急停止や急発進時等にカップから飲料物がこぼれる等の心配がない。その際、ホルダ本体１３の底部材２４に段部２４ａを形成することで、たとえば図４に示したようにカップ１０１、アルミ缶１０２およびスチール缶１０３等の外形とサイズの異なる複数種類のカップ形状に対応することができる。
【００１６】
また、図６（ｃ）においてスライドベース１２を持ち上げて、さらに下方にスライドさせる。そして、ホルダ本体１３を時計方向に回動することでスライドベース１２側へ収縮する。ロック片２８およびロック溝２９を係合させることで、ホルダ本体１３をスライドベース１２に格納ロックする。このように不使用時には、カップホルダ１０をコンパクトに格納することができる。
【００１７】
以上、本発明の好適な実施の形態について説明したが、本発明は実施の形態にのみ限定されるものでなく、本発明の範囲内で適宜変更等が可能である。
たとえば、リンク部材２３あるいはロック片２８およびロック溝２９等の個数等は、図示例の場合に限らず必要に応じて適宜変更可能である。
【００１８】
【発明の効果】
以上説明したように本発明によれば、この種のカップホルダにおいて使用時にはカップを安定して保持することで内容物がこぼれるのを防ぎ、不使用時にはコンパクトに格納することができ、使用性に優れているとともに、設置スペース上極めて有利である。
【図面の簡単な説明】
【図１】本発明のカップホルダの構成例を示す分解斜視図である。
【図２】本発明のカップホルダの取付部まわりを示す部分断面図である。
【図３】本発明のカップホルダの取付状態を示す斜視図である。
【図４】本発明のカップホルダの使用時の断面図である。
【図５】本発明のカップホルダの格納時の断面図および斜視図である。
【図６】本発明のカップホルダの使用および格納時の作用を示す斜視図である。
【図７】従来のカップホルダの例を示す斜視図である。
【図８】従来の別のカップホルダの例を示す斜視図である。
【符号の説明】
１０　　カップホルダ
１１　　取付部材
１２　　スライドベース
１３　　ホルダ本体
１４　　スライド溝
１７　　開口部
１８　　ジョイントリング
２１，２２　　環状部材
２３　　リンク部材
２４　　底部材
２５　　リッド
【図１】
2004074904.tif 000003
【図２】
2004074904.tif 000004
【図３】
2004074904.tif 000005
【図４】
2004074904.tif 000006
【図５】
2004074904.tif 000007
【図６】
2004074904.tif 000008
【図７】
2004074904.tif 000009
【図８】
2004074904.tif 000010